(57)【要約】【課題】  同一筐体内に表示部とキー入力部が基板あるいはシャーシに並べて配置されているので、表示部とキー入力部が互いに干渉し、表示部を大型化するのに制約があった。【解決手段】  電子回路が実装された回路基板１０６、回路基板１０６と電気的に接続された表示部１０２を内部に収納する筐体１０１と、複数のボタン１０７のうち押下されたボタンに対応する電気信号を生成するスイッチを備え、筐体の外部表面においてボタンおよびスイッチが設けられる位置に形成された、筐体の内側と外側を貫通する貫通孔１１４を通して、筐体１０１に内蔵された回路基板１０６にスイッチが生成した電気信号を伝達するキー入力部１０３とを設けた。【選択図】          図２
2006340077.tif 000002
【特許請求の範囲】
【請求項１】
無線部が受信した受信信号に基づいて音声信号を出力する受話部、電子回路が実装された回路基板、この回路基板と電気的に接続され、前記無線部が受信した受信信号に基づいて画像情報を表示可能な表示部を内部に収納する筐体と、
複数のボタンのうち、押下されたボタンに対応する電気信号を生成するスイッチを備え、前記筐体の外部表面において複数の前記ボタンおよび前記スイッチが設けられる位置に形成された、前記筐体の内側と外側を貫通する貫通孔を通して、前記スイッチが生成した電気信号を前記回路基板に伝達するキー入力部とを設けたことを特徴とする携帯通信機。
【請求項２】
筐体は、内部に収納された表示部が外部から視認可能な開口が形成されており、前記筐体内部に収納された表示部と前記筐体外部に設けられたキー入力部が、少なくとも一部が重畳されるように配置されていることを特徴とする請求項１に記載の携帯通信機。
【請求項３】
筐体は、キー入力部の複数のボタンの一部を露出させながら、前記キー入力部及び複数の前記ボタンを覆うように前記筐体に組み付けられた状態で前記キー入力部を位置決めおよび固定するパネル部材を設けたことを特徴とする請求項１に記載の携帯通信機。
【発明の詳細な説明】
【技術分野】
【０００１】
本発明は、表示部及び操作部を備えた上筐体と、操作部を備えた下筐体より構成される携帯電話機などの携帯通信機に関するものである。
【背景技術】
【０００２】
現在の携帯電話機の種類として、少なくとも表示部を備えた上筐体と、操作部を備えた下筐体とをヒンジを介して回動可能に連結された二つ折れ携帯電話機と、上筐体と下筐体をスライド可能に連結したスライド型携帯電話機がある。特に、スライド型携帯電話機は、表示部を備えた上筐体に対して、操作部と送話部を備えた下筐体がほぼ平行に相対移動して、下筐体の操作部が上筐体に覆われている「閉状態」から上筐体の表示部と受話部、下筐体の操作部がともに露出した「開状態」に移行する。スライド型携帯電話機は閉状態で上筐体の表示部が露出しているため、発呼や着呼、電子メールの確認など通信機としての基本的な操作を閉じた状態で実行できるように、上筐体にも操作部が設けられている。また、スライド型携帯電話機は常時表示部が露出しているため、充電ホルダーに載置した状態で動画像などのアプリケーションを楽しむのに適している。したがって、携帯電話機のサイズや重量などの制約の範囲内で、表示部は今後さらに大型化されることが考えられる。
【０００３】
特許文献１には、同一の筐体に表示部である液晶表示装置を保持するＬＣＤホルダーと操作部であるキーパッドの入力を受け付けるキープリント基板を同一筐体内に設けた携帯機器が開示されている。具体的には、液晶表示装置とキー入力装置が基板あるいはシャーシに並べて配置されており、液晶表示装置とキー入力装置とも筐体の内側から筐体に保持固定されている。
【０００４】
【特許文献１】特開２００１−２８４８５４号公報
【発明の開示】
【発明が解決しようとする課題】
【０００５】
ところで、上記特許文献１に開示された携帯電話機は、同一筐体内に液晶表示装置とキー入力装置が基板あるいはシャーシに並べて配置されているので、液晶表示装置とキー入力装置が互いに干渉する。上記説明のような構成で液晶表示装置を大きくするには、液晶表示装置とキー入力装置が干渉しないように筐体を大きくするか、あるいは液晶表示装置を大きくした分、キー入力装置を小型化する必要がある。本願発明は、筐体を大きくせずに、かつキー入力装置に操作性が良好なサイズを確保しつつ、大画面の液晶表示装置を設けることが可能な携帯電話機を提供することを目的とする。
【課題を解決するための手段】
【０００６】
本発明に係る携帯通信機は、無線部が受信した受信信号に基づいて音声信号を出力する受話部、電子回路が実装された回路基板、この回路基板と電気的に接続され、無線部が受信した受信信号に基づいて画像情報を表示可能な表示部を内部に収納する筐体と、複数のボタンのうち、押下されたボタンに対応する電気信号を生成するスイッチを備え、筐体の外部表面において複数のボタンおよびスイッチが設けられる位置に形成された、筐体の内側と外側を貫通する貫通孔を通して、前記スイッチが生成した電気信号を前記回路基板に伝達するキー入力部とを設けたものである。
【発明の効果】
【０００７】
本発明に係る携帯通信機は、無線部が受信した受信信号に基づいて音声信号を出力する受話部、電子回路が実装された回路基板、この回路基板と電気的に接続され、無線部が受信した受信信号に基づいて画像情報を表示可能な表示部を内部に収納する筐体と、複数のボタンのうち、押下されたボタンに対応する電気信号を生成するスイッチを備え、筐体の外部表面において複数のボタンおよびスイッチが設けられる位置に形成された、筐体の内側と外側を貫通する貫通孔を通して、前記スイッチが生成した電気信号を前記回路基板に伝達するキー入力部とを設けたので、表示部とキー入力部が干渉することはなくなる。したがって、表示部のサイズを大きくし、かつキー入力部のサイズを適正に保ちながら、携帯電話機が大きくなることを防止できるという効果を奏する。
【発明を実施するための最良の形態】
【０００８】
実施の形態１．
図１は、本発明の実施の形態１に係る携帯電話機の外観を示す外観斜視図である。図１（ａ）は、スライド型携帯電話機が開かれた状態を示す外観斜視図であり、図１（ｂ）は、スライド型携帯電話機が閉じられた状態を示す外観斜視図である。図１において、上筐体１０１には、画像情報を表示する表示部である液晶表示部１０２、キー入力部１０３、受話部１０４、カメラ１２１が設けられている。また、下筐体２０１には、キー入力部２０２、送話部２０３が設けられている。図１（ａ）に示されるように、上筐体１０１と下筐体２０１が開けられた状態では、上筐体１０１の液晶表示部１０２、キー入力部１０３、受話部１０４と、下筐体２０１の操作部２０２がともに露出した状態になる。一方、図１（ｂ）に示されるように、上筐体１０１と下筐体２０１が閉じられた状態では、上筐体１０１の液晶表示部１０２、キー入力部１０３、受話部１０４は露出しているが、下筐体２０１の操作部２０２が上筐体１０１に覆われる。
【０００９】
図１に示すようなスライド型携帯電話機は、上筐体１０１の背面側に、上筐体１０１の長手方向に沿って延びる溝が、例えば２本形成されている。それぞれの溝は上筐体１０１の外側と内側を貫通するように形成されており、この溝に沿って、上筐体１０１の内側にスライドモジュール（スライド機構）が設けられる。一般的なスライドモジュールは、スライドレールと、スライドレールに沿って移動するアクチュエータを含み、このアクチュエータによって上筐体１０１と下筐体２０１はスライド可能に連結される。スライドモジュール自体は、従来から用いられているものを本発明に適用可能であるため、その構成の詳細な説明は省略する。
【００１０】
図２は、本発明に係る携帯電話機の上筐体を分解して示す分解斜視図である。図２において、図１に示す符号と同一の符号は同一または相当部分を示すので説明は省略する。上ケース１０５と下ケース１０８が組み合わされ、さらに上ケース１０５上にウィンドウパネル１１１とキーパネル１１２が設けられることで、上筐体１０１が構成される。上ケース１０５と下ケース１０８が組み合わされた筐体の内部には、液晶表示部１０２と回路基板１０６が収納される。回路基板１０６には、液晶表示部１０２に画像を表示させるとともに、キーパッド１０７からのキー入力信号を処理する各種処理装置が実装される。液晶表示部１０２と回路基板１０６は、ＬＣＤコネクタ１２０によって電気的に接続される。また、回路基板１０６に実装された各種処理装置は、液晶表示部１０２のほか、下筐体２０１内部に設けられた、例えば無線回路や演算装置、メモリなどの処理装置と電気的に接続される。下ケース１０８には、下筐体接続用フレキシブル基板１０９を通すためのフレキ孔１１５が形成されており、この下筐体接続用フレキシブル基板１０９が回路基板１０６と下筐体内部の処理装置間で信号を伝達する。
【００１１】
キー入力部１０３は、ベースラバーなどを用いて複数のボタンが形成されたキーパッド１０７の押下されたボタンに対応する信号を回路基板１０６に出力するスイッチを有し、キーパッド１０７のボタン位置に対応して基板上に設けられたドームスイッチによって、押下されたボタンに対応する信号を生成し、回路基板１０６に出力する。キー入力部１０３と回路基板１０６は、一端がキー入力部１０３に接続され、回路基板１０６と接続されるキーコネクタ１１９（図４参照）が他端に接続されたキー入力フレキシブル基板１１０によって電気的に接続される。上ケース１０５の外部には、キー入力部１０３が載置されるキー入力部載置部１１７、キー入力フレキシブル基板１１０を上ケース１０５内部に導入するためのスリット１１４が設けられている。キー入力部１０３と接続されたキー入力フレキシブル基板１１０はスリット１１４から上ケース１０５内部に導入され、キー入力フレキシブル基板１１０の端部に設けられたキーコネクタ１１９が回路基板１０６と接続される。
【００１２】
上ケース１０５には、液晶表示部１０２の表示面１１８と略同一サイズの開口１１６が形成されており、上ケース１０５と下ケース１０８が組み合わされた状態で、液晶表示部１０２の表示面１１８を上ケース１０５の外部から開口１１６を介して視認できる。この開口１１６は、テープ１１３によって上ケース１０５に設置固定されるウィンドウパネル１１１によって覆われる。一方、上ケース１０５の外部に設けられたキー入力部載置部１１７に載置されたキー入力部１０３と、キー入力部１０３上の所定位置に載置されたキーパッド１０７は、キーパッド１０３に形成されたボタンに対応する位置にボタン孔が設けられたパネル部材であるキーパネル１１２を上ケース１０５にはめ込むことによって、位置決め及び固定される。
【００１３】
図３は、本発明に係る携帯電話機の上筐体の断面を示す断面図である。図３（ａ）は、上筐体１０１のキー入力部１０３が配設された部分の断面を図示するものであり、図３（ｂ）は、図３（ａ）の断面図において、円Ｂで囲まれた断面を拡大して図示するものである。なお、図３において、図２と同一の符号は同一または相当部分を示すので説明は省略する。図３に示すように、本発明に係る携帯電話機は、上ケース１０５の外側にキー入力部１０３が設けられ、上ケース１０５の内側に回路基板１０６が設けられている。そして、上ケース１０５の外側のキー入力部１０３と、上ケース１０５の内側の回路基板１０６は、スリット１１４を通されたキー入力用フレキシブル基板１１０により電気的に接続されている。上ケース１０５の内側において、キー入力フレキシブル基板１１０は、キーコネクタ１１９によって回路基板１０６に接続される。また、回路基板１０６は、液晶表示部１０２のＬＣＤコネクタ１２０によって液晶表示部１０２と接続される。上ケース１０５の外側に設置されたキー入力部１０３とキーパッド１０７は、キーパネル１１２によって上ケース１０５に位置決め固定される。具体的には、キーパッド１０７のボタン位置下部に設けられたアクチュエータと呼ばれる突起部が、キー入力部１０３のドームスイッチに接するように、キー入力部１０３とキーパッド１０７は、キーパネル１１２によって位置決めされる。
【００１４】
図４は、本発明に係る携帯電話機の上筐体の断面を示す断面図である。図４は、上筐体１０１の長手方向の断面を図示するものである。なお、図４において、図３と同一の符号は同一または相当部分を示すので説明は省略する。図４に示すように、上ケース１０５の外側にキー入力部１０３が設けられ、上ケース１０５の内側に回路基板１０６、および液晶表示部１０２の端部が設けられている。そして、上ケース１０５を介して、上ケース１０５の外側に設けられたキー入力部１０３と、上ケース１０５の内側に内蔵された液晶表示部１０２が、互いに長さＡだけ重畳していることが示されている。従来のように、キー入力部１０３と液晶表示部１０２を上ケース１０５の内部に収納すると、キー入力部１０３と液晶表示部１０２の端部が干渉するため、液晶表示部１０２のサイズを小さくするか、あるいはキー入力部１０３のサイズを小さくするか、あるいは双方のサイズを小さくしなければ、両者が重なっている長さＡだけ上筐体のサイズが長くなる。しかし、キー入力部１０３は、ユーザのキー入力を受け付けるインターフェース部分であり、小型化するには制約が多い。
【００１５】
そこで、上記説明のように、上ケース１０５を介して、上ケース１０５の外側にキー入力部１０３を設け、内側に液晶表示部１０２を内蔵し、厚み方向において両者が重なるような位置に配置することにより、液晶表示部１０２とキー入力部１０３が干渉することはなくなる。したがって、液晶表示部１０２のサイズを大きくし、かつキー入力部１０３のサイズを適正に保ちながら、携帯電話機が大きくなることを防止できるという効果がある。また、キー入力部１０３は、キー入力時に加えられる押下荷重による破損を防止するため、補強する必要があった。しかし、上記説明のように、上ケース１０５にキー入力部１０３が直接設けられるので、キー入力時の押下荷重は上ケース１０５が支持するため、キー入力部１０３自体を特に補強しなくてもよい。つまり、キー入力部１０３を薄型化、小型化することも可能である。
【００１６】
なお、上記説明では、上筐体と下筐体の２種類の筐体からなる携帯電話機であって、表示部と操作部が筐体の開閉状態に関わらず露出している（つまり、閉状態であっても表示部を見ながら操作することが求められる）スライド型携帯電話機について説明した。しかし、筐体の開閉状態に関わらず表示部と操作部が常に露出している形状の携帯電話機であれば、スライド型以外の携帯電話機にも本発明を適用することは可能である。また、上記説明では、上筐体と下筐体の２種類の筐体からなる携帯電話機に適用する場合について説明したが、単一の筐体に表示部と操作部が設けられている携帯電話機にも本発明を適用することは可能である。また、上記説明では、携帯電話機を一例として説明したが、携帯電話機以外の携帯情報端末など、表示部と操作部を有する諸々の電子機器一般に本発明を適用することができる。
【図面の簡単な説明】
【００１７】
【図１】本発明に係る携帯電話機の外観を示す外観斜視図である。
【図２】本発明に係る携帯電話機の上筐体を分解して示す分解斜視図である。
【図３】本発明に係る携帯電話機の上筐体の断面を示す断面図である。
【図４】本発明に係る携帯電話機の上筐体の断面を示す断面図である。
【符号の説明】
【００１８】
１０１  上筐体、１０２  液晶表示部、１０３  キー入力部、１０４  受話部、
１０５  上ケース、１０６  回路基板、１０７  キーパッド、１０８  下ケース、
１０９  下筐体接続用フレキシブル基板、１１０  キー入力用フレキシブル基板、
１１１  ウィンドウパネル、１１２  キーパネル、１１３  テープ、１１４  スリット、
１１５  フレキ孔、１１６  開口、１１７  キー入力部載置部、１１８  表示面、
１１９  キーコネクタ、１２０  ＬＣＤコネクタ、１２１  カメラ
２０１  下筐体、２０２  キー入力部、２０３  送話部
【図１】
2006340077.tif 000003
【図２】
2006340077.tif 000004
【図３】
2006340077.tif 000005
【図４】
2006340077.tif 000006